(57)【特許請求の範囲】
【請求項１】
２枚の透明なガラスと、
該２枚の該ガラスの間に挟まれた空気層と、
該空気層の全周縁に設けられた該空気層を密封するための枠材と、
該枠材に入れられて前記空気層内の水分を吸湿する乾燥剤とからなり、
窓に取り付けたとき空気層の上方の枠材の下面に湿度検出手段を設けた
ことを特徴とする複層ガラス窓。
【請求項２】
前記枠材は、前記２枚のガラスの間隔を保つスペーサと、前記空気層を外気と遮断するためのシール材とを備え、
前記スペーサは、内部が空間となっていると共に空気層側に小孔が開けられており、該空間に前記乾燥剤が収められており、
前記湿度検出手段は、前記空気層の上方に位置するスペーサの下面に取り付けられている
ことを特徴とする請求項１に記載の複層ガラス窓。
【発明の詳細な説明】
【０００１】
【発明の属する技術分野】
本発明は、断熱効果の高い複層ガラス窓に関する。
【０００２】
【従来の技術】
熱もちのいい家は壁や床だけでなく窓もしっかり断熱することが必要であるという観点から、窓ガラスを複層ガラスにする時代になってきている。欧米では複層ガラスが常識になってきているともいわれている。一方、住宅も堅固なものが建てられるようになり、最近では耐用年数も６０年、１００年以上というものも増えてきている。このような超長期耐用住宅にも複層ガラス窓が採用されてきている。
【０００３】
従来の複層ガラス窓の構造は図３、図４に示すように、２枚の透明ガラス５１に挟まれた空気層５２の周囲に枠材５３が設けられている。枠材は２枚のガラス間隔を保つための金属のスペーサ５４と空気層を外気と遮断するためのシール材５５、５６からなっている。スペーサ５４は内部が空間になった柱状体で、この空間にはシリカゲル等の粒状の乾燥剤５７が収められている。また、スペーサ５４の空気層側には小孔５８があけられ、乾燥剤５７の機能発揮がしやすくなっている。この乾燥剤５７の役目は空気層内の湿度を低く保ち、ガラス内面の白化現象を防止することにある。
【０００４】
【発明が解決しようとする課題】
ところが上記超長期耐用住宅にこの複層ガラス窓を採用した場合、いずれ空気層の湿度が徐々に上昇し、やがては複層ガラス内に白化現象が発生し、複層ガラスを交換せざるを得なくなる可能性が高い。白化現象とはガラス劣化現象の一つで、水分によりガラス表面が変化を起こし白っぽく汚れた状態になることで白やけとも呼ばれる。白化は布等で拭き取ることは可能であるが複層ガラス窓の空気層はその構造上拭き取れないので元に戻すことはできない。
【０００５】
本発明の目的は、複層ガラス窓内の白化現象を未然に防ぐことができる複層ガラス窓を得ることである。
【０００６】
【課題を解決するための手段】
本発明は、２枚の透明なガラスと、該２枚の該ガラスの間に挟まれた空気層と、該空気層の全周縁に設けられた該空気層を密封するための枠材と、該枠材に入れられて前記空気層内の水分を吸湿する乾燥剤とからなり、窓に取り付けたとき空気層の上方の枠材の下面に湿度検出手段を設けた複層ガラス窓である。すなわち複層ガラス窓内の空気層の湿度が上昇したことを白化現象が生じる前に知ることができるので、白化現象発生前に乾燥剤を交換または追加することにより永久に白化現象を起こすことがない。
【０００７】
上記複層ガラス窓において、前記枠材は、前記２枚のガラスの間隔を保つスペーサと、前記空気層を外気と遮断するためのシール材とを備え、前記スペーサは、内部が空間となっていると共に空気層側に小孔が開けられており、該空間に前記乾燥剤が収められており、前記湿度検出手段は、前記空気層の上方に位置するスペーサの下面に取り付けられている
ことが好ましい。
【０００８】
湿度検出手段の設置場所は、外部から見ることのできる空気層の上方のスペーサまたはガラス面でよい。このような場所であれば検出手段は太陽光を常時受けないですみ、検出手段の劣化を防ぐことができる。また、湿気は上方に溜まりやすいので湿度上昇を確実に発見ができる。湿度検出手段は、湿度変化により化学変化し変色するもの、形状が変化するものでよく、住人が時折点検して判断できる程度の色、大きさ形状であればよい。この変色、変化をみて白化現象が近々起こると判断し、乾燥剤の追加、交換を行えばよい。
【０００９】
【発明の実施の形態】
本発明の実施の形態を図面をもとに説明する。図１は本発明の実施例の全体を下方から見た斜視図、図２は図１の湿度検出手段部分の拡大図で３つの実施例を示す図、図３は従来の複層ガラス窓の構造を示す斜視図、図４は図３の枠材を説明するための拡大図である。
【００１０】
本発明の複層ガラス窓の構造は図１、図２に示す通り、２枚の透明なガラス１に挟まれた空気層２の周囲に枠材３が設けられている。枠材は２枚のガラス間隔を保つための金属のスペーサ４と、空気層２を外気と遮断するためのシール材５、６からなっている。スペーサ４は内部が空間になった柱状体で、この空間にはシリカゲル等の粒状の乾燥剤７が収められている。また、スペーサ４の空気層側には小孔（図示せず）があけられ、乾燥剤７の機能発揮がしやすくなっている。この乾燥剤７の役目は空気層内の湿度を低く保ち、ガラス内面の白化現象を防止することにある。湿度検出手段１０は空気層２の上方のスペーサ４の下面にとりつけられている。
【００１１】
湿度検出手段１０を空気層２の上方にとりつけると、太陽光を直接受けることのないこと、水蒸気は空気層２の上に溜まりやすいので上方の方が確実にかつ早期に検出できること、常時目立つところでないことなどの理由で好ましい。本発明の複層ガラス窓のガラス１の厚さは３〜１２ｍｍ、空気層２の厚さは２〜１５ｍｍである。枠材３のスペーサ４はアルミまたはスチール製が用いられ、空気層２側には小孔が設けられている。この小孔はスペーサ内に収められる乾燥剤シリカゲルの粒径より小さく、また空気層２内の水分を吸湿しやすい大きさにする。シール材５はポリサルファイド系シーリング材で、外部の液滴（水分）を遮断し、またスペーサ４とともにガラス間隔を保つ役目もはたし、かつガラスとは強固に接着されている。シール材６はブチル系シーリング材で、空気層２と外気を遮断するためのものである。
【００１２】
湿度検出手段１０の具体的な例を図２に示す。図２はスペーサ４の下面に湿度検出手段１１、１２、１３がとりつけれた状態を下方から見た斜視図である。湿度検出手段１１、１２は湿度の変化により形状が変化するもの、湿度検出手段１３は湿度の変化により色が変化するものである。図中Ａ１、Ｂ１、Ｃ１は空気層２が通常の湿度の状態、図中Ａ２、Ｂ２、Ｃ２は高湿度になったときの状態を示している。形状が変化するものの例としては紙でＡ２は高湿になったとき膨張により弛んだ例、Ｂ２は曲がった例である。また色が変化するものとしては変色やにじみによるもの、着色物が透明になるものなどが挙げられる。
【００１３】
このような湿度検出手段を設けることで、複層ガラス窓内の空気層２の湿度が上昇したことを白化現象がおきる前に知ることができるので、白化現象発生前に乾燥剤７を交換または追加することにより永久に白化現象を起こすことを防止できる。なお、乾燥剤７の交換や追加は、複層ガラス窓の枠材３を外部からドリルで孔を開けて、不要乾燥剤をとりだし、新しい乾燥剤を注入するなどすればいい。
【００１４】
【発明の効果】
本発明の複層ガラス窓は、空気層の湿度上昇に伴う白化現象が発生する前に簡単に湿度上昇を判断できるので、空気層内の乾燥剤を交換或いは追加することで、複層ガラス窓の延命をはかることができる。すなわち、白化現象が発生した後複層ガラス窓を交換するより、作業が簡単で、低コストなのである。
【図面の簡単な説明】
【図１】本発明の実施例の全体を下方から見た斜視図。
【図２】図１の湿度検出手段部分の拡大図で３つの実施例を示す図。
【図３】従来の複層ガラス窓の構造を示す斜視図。
【図４】図３の枠材を説明するための拡大図。
【符号の説明】
１                    ガラス
２                    空気層
３                    枠材
４                    スペーサ
５                    シール材
６                    シール材
７                    乾燥剤
１０                  湿度検出手段
１１                  湿度検出手段
１２                  湿度検出手段
１３                  湿度検出手段
５１                  ガラス
５２                  空気層
５３                  枠材
５４                  スペーサ
５５                  シール材
５６                  シール材
５７                  乾燥剤
５８                  小孔
【図１】
0004360707.tif 000002
【図２】
0004360707.tif 000003
【図３】
0004360707.tif 000004
【図４】
0004360707.tif 000005